(57)【要約】      （修正有）【課題】使用者が属するグループ間の通信量の制御が可能なソーシャルネットワークサービスシステムを提供する。【解決手段】第１、第２情報送受信条件を設定するために使用される端末と、第１情報送受信条件に基づいて使用者や使用者をフォローする人の書き込みや当該書き込みに対する再書き込みを含む書き込み情報を使用者に発信し、端末の出力装置であって、使用者の使用者情報に対応したブラウザ画面に表示させるサーバーを備え、サーバーは、第１情報送受信条件の下で使用者に発信する書き込み情報とは別に、第２情報送受信条件に基づいて使用者が属するグループの使用者に対する他のグループの使用者からの書き込み情報の発信量を制御する。【選択図】図６
2013242764.tif 000002
【特許請求の範囲】
【請求項１】
第１情報送受信条件と、第２情報送受信条件とを設定するために使用される端末と、
前記第１情報送受信条件に基づいて、使用者や前記使用者をフォローする人の書き込みや当該書き込みに対する再書き込みを含む書き込み情報を前記使用者に発信し、前記端末の出力装置であって、前記使用者の使用者情報に対応したブラウザ画面に表示させるソフトウエアがインストールされたサーバーとを備え、
前記第１情報送受信条件は、前記使用者が前記ソフトウエアを使ったソーシャルネットワークサービスにおいてフォローする人の情報を含むものであり、
前記第２情報送受信条件は、前記ソーシャルネットワークサービスを利用して前記使用者が属するグループの使用者が書き込み情報を発信する発信先の使用者が属するグループとして設定した情報発信推奨グループに関する情報、前記ソーシャルネットワークサービスを利用して前記使用者が属するグループの使用者が書き込み情報を受信する発信元の使用者が属するグループとして設定した情報受信推奨グループに関する情報の少なくとも一方を含むものであり、
前記サーバーは、前記第１情報送受信条件の下で前記使用者に発信する書き込み情報とは別に、前記第２情報送受信条件に基づいて、前記使用者が属するグループの使用者に対する、他のグループの使用者からの書き込み情報の発信量を制御することを特徴とするソーシャルネットワークサービスシステム。
【請求項２】
前記サーバーは、前記第１情報送受信条件の下で、一定期間内に、前記使用者に発信された書き込み情報のうちで、前記使用者や前記使用者が属するグループの使用者が発信した回数を示す第１回数と、前記使用者が属するグループとは別の特定グループの使用者が発信した回数を示す第２回数と、前記使用者が属するグループの使用者が設定した前記情報受信推奨グループに関する情報に基づいて、前記第２情報送受信条件に基づく書き込み情報の発信を制御する発信量制御を行うか否かと、前記発信量制御を行う場合の第１制御量を決定することを特徴とする請求項１に記載のソーシャルネットワークサービスシステム。
【請求項３】
前記第１制御量は、前記第１回数と前記第２回数の差異に、前記使用者が属するグループの使用者が前記情報受信推奨グループとして前記特定グループを選択した人数を前記使用者が属するグループの人数で除した割合を乗算した値であることを特徴とする請求項２に記載のソーシャルネットワークサービスシステム。
【請求項４】
前記サーバーは、前記使用者が属するグループの使用者のうちで、前記情報受信推奨グループとして前記特定グループを選択した使用者を、前記発信量制御における書き込み情報を発信する対象として優先的に選択することを特徴とする請求項２に記載のソーシャルネットワークサービスシステム。
【請求項５】
前記サーバーは、前記第１情報送受信条件の下で、一定期間内に、前記使用者が属するグループとは別の特定グループの使用者が前記特定グループの使用者に発信した回数を示す第１回数と、前記特定グループの使用者が前記使用者に発信した回数を示す第２回数と、前記特定グループの使用者が設定した前記情報発信推奨グループに関する情報に基づいて、前記第２情報送受信条件に基づく書き込み情報の発信量制御を行うか否かと、前記発信量制御を行う場合の第２制御量を決定することを特徴とする請求項１に記載のソーシャルネットワークサービスシステム。
【請求項６】
前記第２制御量は、前記第１回数と前記第２回数の差異に、前記特定グループの使用者が前記情報発信推奨グループとして前記使用者が属するグループを選択した人数を前記特定グループの使用者の人数で除した割合を乗算した値であることを特徴とする請求項５に記載のソーシャルネットワークサービスシステム。
【請求項７】
前記サーバーは、前記特定グループに属する使用者のうちで、前記情報発信推奨グループとして前記使用者が属するグループを選択した使用者による書き込み情報を、前記発信量制御において発信する対象として優先的に選択することを特徴とする請求項５に記載のソーシャルネットワークサービスシステム。
【請求項８】
第１情報送受信条件と、第２情報送受信条件とを設定するために使用される端末と、
前記第１情報送受信条件に基づいて、使用者や前記使用者をフォローする人の書き込みや当該書き込みに対する再書き込みを含む書き込み情報を前記使用者に発信し、前記端末の出力装置であって、前記使用者の使用者情報に対応したブラウザ画面に表示させるソフトウエアがインストールされたサーバーとを備え、
前記第１情報送受信条件は、前記使用者が前記ソフトウエアを使ったソーシャルネットワークサービスにおいてフォローする人の情報を含むものであり、
前記第２情報送受信条件は、前記ソーシャルネットワークサービスを利用して前記使用者が属するグループの使用者が設定した指定グループに関する情報を含むものであり、
前記サーバーは、前記第１情報送受信条件の下で前記使用者に発信する書き込み情報とは別に、前記第２情報送受信条件に基づいて、前記使用者が属するグループの使用者に対する、他のグループの使用者からの書き込み情報の発信量を制御することを特徴とするソーシャルネットワークサービスシステム。
【発明の詳細な説明】
【技術分野】
【０００１】
本発明は、ソーシャルネットワークサービスシステムに関する。
【背景技術】
【０００２】
特許文献１などで、ソーシャルネットワークサービスシステムが提案されている。
【先行技術文献】
【特許文献】
【０００３】
【特許文献１】特開２００６−２３８７６号公報
【発明の概要】
【発明が解決しようとする課題】
【０００４】
しかし、特許文献１などのソーシャルネットワークサービスシステムでは、他の使用者のフォロワーになるなど、書き込み情報を見るための条件設定に基づいて、書き込み情報がブラウザ画面（のニュースフィードなど）に表示される。このため、発信量は、書き込み情報を作成する者（フォローされる人）と書き込み情報を見る者（フォローする人、フォロワー）の個人間の条件設定だけに左右されている。
【０００５】
したがって本発明の目的は、使用者が属するグループ間の通信量の制御が可能なソーシャルネットワークサービスシステムを提供することである。
【課題を解決するための手段】
【０００６】
本発明に係るソーシャルネットワークサービスシステムは、第１情報送受信条件と、第２情報送受信条件とを設定するために使用される端末と、第１情報送受信条件に基づいて、使用者や使用者をフォローする人の書き込みや当該書き込みに対する再書き込みを含む書き込み情報を使用者に発信し、端末の出力装置であって、使用者の使用者情報に対応したブラウザ画面に表示させるソフトウエアがインストールされたサーバーとを備え、第１情報送受信条件は、使用者がソフトウエアを使ったソーシャルネットワークサービスにおいてフォローする人の情報を含むものであり、第２情報送受信条件は、ソーシャルネットワークサービスを利用して使用者が属するグループの使用者が書き込み情報を発信する発信先の使用者が属するグループとして設定した情報発信推奨グループに関する情報、ソーシャルネットワークサービスを利用して使用者が属するグループの使用者が書き込み情報を受信する発信元の使用者が属するグループとして設定した情報受信推奨グループに関する情報の少なくとも一方を含むものであり、サーバーは、第１情報送受信条件の下で使用者に発信する書き込み情報とは別に、第２情報送受信条件に基づいて、使用者が属するグループの使用者に対する、他のグループの使用者からの書き込み情報の発信量を制御する。
【０００７】
これにより、グループ間の情報量制御、すなわち、ニュースフィードなどのブラウザに表示される情報であって、特定グループの使用者から対象グループの使用者に発信される量をサーバーの制御装置で制御することが可能になる。
【０００８】
ブラウザに表示される機会が増えれば、かかる書き込みに対して再書き込みしたり、かかる書き込みをした人をフォローする（フォロワーになる）設定をしたりして、グループ間の通信量を増やすことが可能になる。
【０００９】
好ましくは、サーバーは、第１情報送受信条件の下で、一定期間内に、使用者に発信された書き込み情報のうちで、使用者や使用者が属するグループの使用者が発信した回数を示す第１回数と、使用者が属するグループとは別の特定グループの使用者が発信した回数を示す第２回数と、使用者が属するグループの使用者が設定した情報受信推奨グループに関する情報に基づいて、第２情報送受信条件に基づく書き込み情報の発信を制御する発信量制御を行うか否かと、発信量制御を行う場合の第１制御量を決定する。
【００１０】
発信量制御を行うと、第１情報送受信条件に基づくとブラウザに表示されない書き込みも表示されるが、書き込みされる量（発信量）は不必要に多くならないように第２情報送受信条件に基づいて算出された第１制御量に制限される。このため、書き込みを見た使用者が違和感を持つことなく、第１情報送受信条件に基づくとブラウザに表示されない書き込みも閲覧することが出来、自然に通信量を増やすことが可能になる。
【００１１】
さらに好ましくは、第１制御量は、第１回数と第２回数の差異に、使用者が属するグループの使用者が情報受信推奨グループとして特定グループを選択した人数を使用者が属するグループの人数で除した割合を乗算した値である。
【００１２】
グループ間の通信量が増えれば、第１制御量の値が小さくなるため、第２情報送受信条件に基づく発信量（機械的な発信量制御）も少なく出来る。
【００１３】
また、好ましくは、サーバーは、使用者が属するグループの使用者のうちで、情報受信推奨グループとして特定グループを選択した使用者を、発信量制御における書き込み情報を発信する対象として優先的に選択する。
【００１４】
さらに書き込みを見た使用者が違和感を持つことなく、第１情報送受信条件に基づくとブラウザに表示されない書き込みも閲覧することが出来、自然に通信量を増やすことが可能になる。
【００１５】
また、好ましくは、サーバーは、第１情報送受信条件の下で、一定期間内に、使用者が属するグループとは別の特定グループの使用者が特定グループの使用者に発信した回数を示す第１回数と、特定グループの使用者が使用者に発信した回数を示す第２回数と、特定グループの使用者が設定した情報発信推奨グループに関する情報に基づいて、第２情報送受信条件に基づく書き込み情報の発信量制御を行うか否かと、発信量制御を行う場合の第２制御量を決定する。
【００１６】
発信量制御を行うと、第１情報送受信条件に基づくとブラウザに表示されない書き込みも表示されるが、書き込みされる量（発信量）は不必要に多くならないように第２情報送受信条件に基づいて算出された第２制御量に制限される。このため、書き込みを見た使用者が違和感を持つことなく、第１情報送受信条件に基づくとブラウザに表示されない書き込みも閲覧することが出来、自然に通信量を増やすことが可能になる。
【００１７】
さらに好ましくは、第２制御量は、第１回数と第２回数の差異に、特定グループの使用者が情報発信推奨グループとして使用者が属するグループを選択した人数を特定グループの使用者の人数で除した割合を乗算した値である。
【００１８】
グループ間の通信量が増えれば、第２制御量の値が小さくなるため、第２情報送受信条件に基づく発信量（機械的な発信量制御）も少なく出来る。
【００１９】
また、好ましくは、サーバーは、特定グループに属する使用者のうちで、情報発信推奨グループとして使用者が属するグループを選択した使用者による書き込み情報を、発信量制御において発信する対象として優先的に選択する。
【００２０】
第１情報送受信条件で情報送信相手には設定していないが情報発信推奨グループに属する使用者に対して、書き込み情報を発信しやすくすることが可能になる。
【００２１】
本発明に係るソーシャルネットワークサービスシステムは、第１情報送受信条件と、第２情報送受信条件とを設定するために使用される端末と、第１情報送受信条件に基づいて、使用者や使用者をフォローする人の書き込みや当該書き込みに対する再書き込みを含む書き込み情報を使用者に発信し、端末の出力装置であって、使用者の使用者情報に対応したブラウザ画面に表示させるソフトウエアがインストールされたサーバーとを備え、第１情報送受信条件は、使用者がソフトウエアを使ったソーシャルネットワークサービスにおいてフォローする人の情報を含むものであり、第２情報送受信条件は、ソーシャルネットワークサービスを利用して使用者が属するグループの使用者が設定した指定グループに関する情報を含むものであり、サーバーは、第１情報送受信条件の下で使用者に発信する書き込み情報とは別に、第２情報送受信条件に基づいて、使用者が属するグループの使用者に対する、他のグループの使用者からの書き込み情報の発信量を制御する。
【発明の効果】
【００２２】
以上のように本発明によれば、通使用者が属するグループ間の通信量の制御が可能なソーシャルネットワークサービスシステムを提供することができる。
【図面の簡単な説明】
【００２３】
【図１】本実施形態におけるソーシャルネットワークサービスシステムの構成図である。
【図２】本実施形態におけるソーシャルネットワークサービスシステムのブラウザ画面を示す図である。
【図３】本実施形態におけるソーシャルネットワークサービスシステムのプロフィール画面を示す図である。
【図４】使用者Ｕ１〜Ｕ９を使った具体例で、使用者Ｕ１がフォローする人、使用者Ｕ１をフォローする人の関係を示す図である。
【図５】図４の具体例における、第１回数や第２回数を示す図である。
【図６】発信量制御を行うか否かの判断手順を示すフローチャートである。
【図７】発信量制御の手順を示すフローチャートである。
【発明を実施するための形態】
【００２４】
以下、本実施形態について、図を用いて説明する。本実施形態におけるソーシャルネットワークサービスシステム１は、複数の端末Ｈ１〜ＨＭ（Ｍは２以上の整数）、端末Ｈ１〜ＨＭに対して本実施形態におけるソーシャルネットワークサービスを提供するアプリケーションサービスプロバイダのサーバー１０とを備え、これらが通信ネットワークを介して接続される（図１参照）。
【００２５】
端末Ｈｍ（ｍは整数、１≦ｍ≦Ｍ）は、キーボードやマウスなどの入力装置、モニターなどの出力装置、ブラウザソフトがインストールされた記録装置、通信ネットワークを介してサーバー１０や他の端末Ｈ１〜ＨＭと通信する装置などを有する情報端末である。
【００２６】
使用者Ｕｎ（ｎは自然数）は、端末Ｈ１〜ＨＭのいずれか（例えば、端末Ｈｍ）を使って、サーバー１０にアクセスし、ソーシャルネットワークサービスを利用する。
【００２７】
サーバー１０の記録装置には、本実施形態におけるソーシャルネットワークサービスを提供するプログラムがインストールされている。
【００２８】
サーバー１０は、ＩＤやパスワードなどの使用者情報に対応したブラウザ画面に関する情報を使用者Ｕｎが利用する端末Ｈｍに送信する。
【００２９】
使用者Ｕｎは、端末Ｈｍの入力装置を使って、ソーシャルネットワークサービスを使って使用者Ｕｎに情報を発信する相手を含む第１情報送受信条件や、後述する第２情報送受信条件を設定したり、情報の書き込みや書き込みされた情報に対する再書き込み（コメントなど）したりし、これらがサーバー１０の記録装置に記録される。
【００３０】
端末Ｈｍの出力装置に表示されるブラウザ画面には、使用者Ｕｎによって設定された第１情報送受信条件（情報送信相手、情報受信相手、キーワード）、及び第２情報送受信条件（所属グループ、情報発信推奨グループ、情報受信推奨グループ）に応じた情報が含まれる（図２参照）。
【００３１】
端末Ｈｍの出力装置に表示されるブラウザ画面は、第１表示領域２１〜第７表示領域２７を有する。
【００３２】
第１表示領域２１は、使用者Ｕｎが発信した情報を送信する相手（使用者Ｕｎのフォロワー、使用者Ｕｎをフォローしている人）の一覧、すなわち、ソーシャルネットワークサービスを使って使用者Ｕｎが発信した情報を受信する（フォローする）使用者の一覧（若しくは人数）を表示する。
【００３３】
第２表示領域２２は、使用者Ｕｎに情報を発信する相手（使用者Ｕｎがフォロワーになった人、使用者Ｕｎがフォローしている人）の一覧、すなわち、使用者Ｕｎがソーシャルネットワークサービスを使って情報を受ける相手に設定した使用者の一覧（若しくは人数）を表示する。
【００３４】
第３表示領域２３は、使用者Ｕｎが設定したキーワード（興味ワード）の一覧（若しくは個数）を表示する。
【００３５】
第４表示領域２４は、使用者Ｕｎがソーシャルネットワークサービスを使って新規に情報を書き込みするための領域を表示する。書き込みされた情報は、使用者Ｕｎのフォロワーのブラウザ画面における第５表示領域２５などに表示される。
【００３６】
第５表示領域２５は、使用者Ｕｎや、使用者Ｕｎがフォローしている人がソーシャルネットワークサービスを使って過去に書き込みした情報や、書き込みされた情報に対して再書き込みされた情報や、かかる情報や再書き込み情報に対して新規に書き込みが可能な領域をスレッドごとに表示する。
【００３７】
第４表示領域２４や第５表示領域２５が、使用者Ｕｎの関係者（使用者Ｕｎや、使用者Ｕｎをフォローしている人など）の書き込み（ニュース）を表示するニュースフィード（Ｎｅｗｓ  Ｆｅｅｄ）を構成する。
【００３８】
また、第３表示領域２３のキーワードを含む書き込みについては、使用者Ｕｎや、使用者Ｕｎがフォローしている人が書き込んだものでなくても、第５表示領域２５に表示される。
【００３９】
第６表示領域２６は、ソーシャルネットワークサービスを利用して使用者Ｕｎが属するグループの使用者が書き込み情報を発信する発信先の使用者が属するグループとして設定したグループ（使用者が設定した指定グループ）であり、使用者Ｕｎが設定する情報発信推奨グループの名称を表示する。
【００４０】
第７表示領域２７は、ソーシャルネットワークサービスを利用して使用者Ｕｎが属するグループの使用者が書き込み情報を受信する発信元の使用者が属するグループとして設定したグループ（使用者が設定した指定グループ）であり、使用者Ｕｎが設定する情報受信推奨グループの名称を表示する。
【００４１】
使用者Ｕｎは、端末Ｈｍの出力装置に表示された使用者Ｕｎの使用者情報に対応したプロフィール画面（図３参照）の内容を編集することにより、第１情報送受信条件（情報受信相手（使用者Ｕｎがフォローしている人）、キーワード（興味ワード））、及び第２情報送受信条件（所属グループ、情報発信推奨グループ、情報受信推奨グループ）を設定する。
なお、情報送信相手（使用者Ｕｎをフォローしている人）は、フォロワーにより設定されるため、使用者Ｕｎが追加したり削除したりしないが、フォロワーに設定されたことを承認するか否かを選択出来る形態であってもよい。
【００４２】
具体例として、９名の使用者Ｕ１〜Ｕ９が、本実施形態におけるソーシャルネットワークサービスを利用し、使用者Ｕ１〜Ｕ３が第１グループＡに所属し、使用者Ｕ４〜Ｕ６が第２グループＢに所属し、使用者Ｕ７〜Ｕ９が第３グループＣに所属し、使用者Ｕ２と使用者Ｕ５と使用者Ｕ８が使用者Ｕ１のフォロワーになり、使用者Ｕ１が使用者Ｕ３と使用者Ｕ６と使用者Ｕ９のフォロワー（使用者Ｕ３と使用者Ｕ６と使用者Ｕ９をフォローする人）になり、使用者Ｕ１が“Ａｚｕｒｅ”と“クラウド”と“ＳａａＳ”をキーワード（興味ワード）に設定し、使用者Ｕ１と使用者Ｕ２は、第２グループＢを情報発信推奨グループに設定し、第３グループＣを情報受信推奨グループに設定し、使用者Ｕ３は、第３グループＣを情報発信推奨グループに設定し、第２グループＢを情報受信推奨グループに設定した形態を説明する。
【００４３】
使用者Ｕ１の使用者情報に対応したブラウザ画面（図２参照）における第１表示領域２１は、使用者Ｕ１が発信した情報を送信する相手（使用者Ｕ１のフォロワー）の人数（使用者Ｕ２と使用者Ｕ５と使用者Ｕ８の３名）に関する情報と、使用者Ｕ１のフォロワーの名称に関する情報を別画面で表示可能なリンク（“＞＞詳しく見る”）を表示する。人数に関する情報に代えて、使用者Ｕ１のフォロワーの名称（使用者Ｕ２と使用者Ｕ５と使用者Ｕ８の名称）に関する情報を表示する形態であってもよい。
【００４４】
使用者Ｕ１の使用者情報に対応したブラウザ画面における第２表示領域２２は、使用者Ｕ１に情報を発信する相手（使用者Ｕ１がフォローしている人）の人数（使用者Ｕ３と使用者Ｕ６と使用者Ｕ９の３名）に関する情報と、使用者Ｕ１がフォローしている人の名称に関する情報を別画面で表示可能なリンク（“＞＞詳しく見る”）を表示する。人数に関する情報に代えて、使用者Ｕ１がフォローしている人の名称（使用者Ｕ３と使用者Ｕ６と使用者Ｕ９の名称）に関する情報を表示する形態であってもよい。
【００４５】
使用者Ｕ１の使用者情報に対応したブラウザ画面における第３表示領域２３は、使用者Ｕ１が設定したキーワード（興味ワード）である“Ａｚｕｒｅ”と“クラウド”と“ＳａａＳ”を表示する。
【００４６】
使用者Ｕ１の使用者情報に対応したブラウザ画面における第４表示領域２４に書き込みされた情報は、使用者Ｕ１や、使用者Ｕ１が発信した情報を送信する相手（使用者Ｕ２、使用者Ｕ５、使用者Ｕ８）の使用者情報に対応したブラウザ画面における第５表示領域２５に表示される。
【００４７】
また、使用者Ｕ１の使用者情報に対応したブラウザ画面における第４表示領域２４に書き込みされた情報のうちで、他の使用者が設定したキーワード（興味ワード）を含むものは、情報送信相手に設定されたか否か（使用者Ｕ１のフォロワーになったか否か）に関係なく、かかる他の使用者の使用者情報に対応したブラウザ画面における第５表示領域２５に表示される。
【００４８】
使用者Ｕ１の使用者情報に対応したブラウザ画面における第５表示領域２５は、使用者Ｕ１の使用者情報に対応したブラウザ画面の第４表示領域２４や、使用者Ｕ１に情報を発信する相手（使用者Ｕ３、使用者Ｕ６、使用者Ｕ９）の使用者情報に対応したブラウザ画面の第４表示領域２４に書き込みされた情報や、書き込みされた情報に対して再書き込みされた情報や、かかる情報や再書き込み情報に対して新たに書き込みが可能な領域をスレッドごとに表示する。
【００４９】
また、情報を書き込みした者が、使用者Ｕ１がフォローしている人であるか否かに関係なく、使用者Ｕ１の使用者情報に対応したブラウザ画面における第３表示領域２３のキーワード（興味ワード）である“Ａｚｕｒｅ”と“クラウド”と“ＳａａＳ”を含む書き込みについても、書き込みされた情報に対して再書き込みされた情報や、かかる情報や再書き込み情報に対して新たに書き込みが可能な領域と一緒にスレッドごとに、第５表示領域２５に表示される。
【００５０】
これにより、使用者それぞれが設定した第１情報送受信条件（情報送信相手（使用者Ｕｎをフォローしている人）、情報受信相手（使用者Ｕｎがフォローしている人）、キーワード（興味ワード））に基づき、且つ使用者それぞれの所属グループが何であるかは関係なく、ブラウザ画面における第５表示領域２５には、書き込みされた情報が表示され、使用者Ｕｎと他の使用者との間でコミュニケーションが可能な状態にされる。
【００５１】
さらに本実施形態では、使用者Ｕｎが設定した第２情報送受信条件（所属グループ、情報発信推奨グループ、情報受信推奨グループ）に基づいて、すなわち、所属グループやグループ間の情報送信条件に基づいて、ブラウザ画面における第５表示領域２５に更に書き込みされた情報が追加表示される。すなわち、サーバー１０の制御装置は、第１情報送受信条件の下で使用者に発信する書き込み情報とは別に、第２情報送受信条件に基づいて、使用者Ｕｎが属するグループの使用者に対する、他のグループの使用者からの書き込み情報の発信量を制御する。以下、かかる更なる書き込み情報発信量制御について、説明する。
【００５２】
サーバー１０の制御装置は、使用者の書き込み情報の発信回数や人数に関する情報をグループごとにカウントし、これらに基づいてグループごとの更なる書き込み情報発信量を制御する。
【００５３】
例えば、３つのグループ（第１グループＡ、第２グループＢ、第３グループＣ）で構成される場合には、それぞれのグループについての第１制御量（ＩＮＣ１Ａ→Ｂ（ｎ）、ＩＮＣ１Ａ→Ｃ（ｎ）、ＩＮＣ１Ｂ→Ａ（ｎ）、ＩＮＣ１Ｂ→Ｃ（ｎ）、ＩＮＣ１Ｃ→Ａ（ｎ）、ＩＮＣ１Ｃ→Ｂ（ｎ））、若しくは、第２制御量（ＩＮＣ２Ａ→Ｂ（ｎ）、ＩＮＣ２Ａ→Ｃ（ｎ）、ＩＮＣ２Ｂ→Ａ（ｎ）、ＩＮＣ２Ｂ→Ｃ（ｎ）、ＩＮＣ２Ｃ→Ａ（ｎ）、ＩＮＣ２Ｃ→Ｂ（ｎ））を算出し、いずれかを用いてグループごとに書き込み情報発信量の制御を行う。
【００５４】
具体的には、サーバー１０の制御装置は、期間：ｎ−１（例えば、２４時間）の終了後に、期間：ｎ−１の間に対象グループに属する使用者が書き込みした情報で、同じグループの使用者に発信された回数（第１回数：ＣＯＭ１対象グループ名（ｎ―１））と、期間：ｎ−１の間に対象グループと別の特定グループに属する使用者が書き込みした情報で、対象グループの使用者に発信された回数（第２回数：ＣＯＭ２特定グループ名→対象グループ名（ｎ―１））と、期間：ｎ―１の終了時点で対象グループに属している使用者の人数（第１人数：ＧＲＰ対象グループ名（ｎ―１））と、期間：ｎ―１の終了時点で対象グループに属する使用者が特定グループを情報受信推奨グループに設定している人数（第２人数：ＧＥＴ特定グループ名→対象グループ名（ｎ―１））と、期間：ｎ―１の終了時点で対象グループに属する使用者が特定グループを情報発信推奨グループに設定している人数（第３人数：ＳＥＮ対象グループ名→特定グループ名（ｎ―１））をカウントする（図６のステップＳ１１とＳ１２参照）。
【００５５】
また、サーバー１０の制御装置は、期間：ｎ−１の間における、第１回数：ＣＯＭ１対象グループ名（ｎ―１）と、第２回数：ＣＯＭ２特定グループ名→対象グループ名（ｎ―１）と、第１人数：ＧＲＰ対象グループ名（ｎ―１）と、第２人数：ＧＥＴ特定グループ名→対象グループ名（ｎ―１）とに基づいて、次の期間：ｎの間に、特定グループに属する使用者が書き込みした情報の中で、第２情報送受信条件に基づく書き込み情報発信量制御で対象グループに属する使用者に発信する量（第１制御量：ＩＮＣ１特定グループ名→対象グループ名（ｎ））を算出する（図６のステップＳ１３参照）。
【００５６】
また、サーバー１０の制御装置は、期間：ｎ−１の間における、第１回数：ＣＯＭ１対象グループ名（ｎ―１）と、第２回数：ＣＯＭ２特定グループ名→対象グループ名（ｎ―１）と、第１人数：ＧＲＰ対象グループ名（ｎ―１）と、第３人数：ＳＥＮ対象グループ名→特定グループ名（ｎ―１）と基づいて、次の期間：ｎの間に、特定グループに属する使用者が書き込みした情報の中で、第２情報送受信条件に基づく書き込み情報発信量制御で対象グループに属する使用者に発信する量（第２制御量：ＩＮＣ２特定グループ名→対象グループ名（ｎ））を算出する。
【００５７】
なお、第２回数：ＣＯＭ２特定グループ名→対象グループ名（ｎ―１）は、第２情報送受信条件に基づく書き込み情報発信量制御で対象グループに属する使用者に発信される量（第１制御量：ＩＮＣ１特定グループ名→対象グループ名（ｎ）、第２制御量：ＩＮＣ２特定グループ名→対象グループ名（ｎ））を含まない。
【００５８】
期間：ｎ―１の間に、第１グループＡに属する使用者Ｕ１〜Ｕ３が書き込みした情報で、同じ第１グループＡの使用者Ｕ１〜Ｕ３に発信された第１回数は、ＣＯＭ１Ａ（ｎ―１）で表される。例えば、使用者Ｕ１が、ある書き込み（若しくは再書き込み）をして、それが使用者Ｕ２や使用者Ｕ３の使用者情報に対応したブラウザ画面の第５表示領域２５に表示される場合には、第１回数：ＣＯＭ１Ａ（ｎ―１）は、２とカウントされる。
同じように、期間：ｎ―１の間に、第２グループＢに属する使用者Ｕ４〜Ｕ６が書き込みした情報で、同じ第２グループＢの使用者Ｕ４〜Ｕ６に発信された第１回数は、ＣＯＭ１Ｂ（ｎ―１）で表される。
【００５９】
期間：ｎ―１の間に、第１グループＡと別の第２グループＢに属する使用者Ｕ４〜Ｕ６が書き込みした情報で、第１グループＡの使用者Ｕ１〜Ｕ３に発信された第２回数は、ＣＯＭ２Ｂ→Ａ（ｎ―１）で表される。例えば、使用者Ｕ４が、ある書き込み（若しくは再書き込み）をして、それが使用者Ｕ２や使用者Ｕ３の使用者情報に対応したブラウザ画面の第５表示領域２５に表示される場合には、第２回数：ＣＯＭ２Ｂ→Ａ（ｎ―１）は、２とカウントされる。
【００６０】
期間：ｎ―１の終了時点で、第１グループＡに属する使用者Ｕ１〜Ｕ３の第１人数は、ＧＲＰＡ（ｎ―１）で表される。
同じように、期間：ｎ―１の終了時点で、第２グループＢに属する使用者Ｕ４〜Ｕ６の第１人数は、ＧＲＰＢ（ｎ―１）で表される。
【００６１】
期間：ｎ―１の終了時点で、第１グループＡに属する使用者Ｕ１〜Ｕ３が第２グループＢを情報受信推奨グループに設定している第２人数は、ＧＥＴＢ→Ａ（ｎ―１）で表される。
【００６２】
期間：ｎ―１の終了時点で、第１グループＡに属する使用者Ｕ１〜Ｕ３が第２グループＢを情報発信推奨グループに設定している第３人数は、ＳＥＮＡ→Ｂ（ｎ―１）で表される。
同じように、期間：ｎ―１の終了時点で、第２グループＢに属する使用者Ｕ４〜Ｕ６が第１グループＡを情報発信推奨グループに設定している第３人数は、ＳＥＮＢ→Ａ（ｎ―１）で表される。
【００６３】
期間：ｎ―１の次の期間：ｎの間に、第２グループＢに属する使用者Ｕ４〜Ｕ６が書き込みした情報のうち、第２情報送受信条件に基づく書き込み情報発信量制御で第１グループＡに属する使用者Ｕ１〜Ｕ３に発信される第１制御量は、ＩＮＣ１Ｂ→Ａ（ｎ）＝｛ＣＯＭ１Ａ（ｎ―１）−ＣＯＭ２Ｂ→Ａ（ｎ―１）｝×ＧＥＴＢ→Ａ（ｎ―１）÷ＧＲＰＡ（ｎ―１）で表され、第２制御量は、ＩＮＣ２Ｂ→Ａ（ｎ）＝｛ＣＯＭ１Ｂ（ｎ―１）−ＣＯＭ２Ｂ→Ａ（ｎ―１）｝×ＳＥＮＢ→Ａ（ｎ―１）÷ＧＲＰＢ（ｎ―１）で表される。
【００６４】
サーバー１０の制御装置は、第１制御量：ＩＮＣ１特定グループ名→対象グループ名（ｎ）若しくは第２制御量：ＩＮＣ２特定グループ名→対象グループ名（ｎ）が、閾値（例えば０）以上であるか否かを判断し、閾値以上の場合には、期間：ｎの間に特定グループに属する使用者が書き込みした情報で、第１情報送受信条件（情報送信相手、情報受信相手、キーワード（興味ワード））では、対象グループに属する使用者に発信されないものを、第１制御量：ＩＮＣ１特定グループ名→対象グループ名（ｎ）若しくは第２制御量：ＩＮＣ２特定グループ名→対象グループ名（ｎ）の値（四捨五入した回数）だけ、発信する制御を行う（図６のステップＳ１４とＳ１５と、図７参照）。
【００６５】
対象グループ内で送受信される量（第１回数：ＣＯＭ１対象グループ名（ｎ―１））が、特定グループの使用者から対象グループの使用者に発信される量（第２回数：ＣＯＭ２特定グループ名→対象グループ名（ｎ―１））よりも多く、且つ対象グループの使用者が特定グループの使用者からの情報発信を多く望んでいる（対象グループの使用者のうちで情報受信推奨グループとして特定グループを選んでいる割合（ＧＥＴ特定グループ名→対象グループ名（ｎ―１）÷ＧＲＰ対象グループ名（ｎ―１））が多い）場合に、第１制御量：ＩＮＣ１特定グループ名→対象グループ名（ｎ）が多くなる。
【００６６】
特定グループ内で送受信される量（第１回数：ＣＯＭ１特定グループ名（ｎ―１））が、特定グループの使用者から対象グループの使用者に発信される量（第２回数：ＣＯＭ２特定グループ名→対象グループ名（ｎ―１））よりも多く、且つ特定グループの使用者が対象グループの使用者への情報発信を多く望んでいる（特定グループの使用者のうちで情報発信推奨グループとして対象グループを選んでいる割合（ＳＥＮ特定グループ名→対象グループ名（ｎ―１）÷ＧＲＰ特定グループ名（ｎ―１））が多い）場合に、第２制御量：ＩＮＣ２特定グループ名→対象グループ名（ｎ）が多くなる。
【００６７】
例えば、期間：ｎ−１の間において、第１グループＡの第１回数：ＣＯＭ１Ａ（ｎ―１）が１００で、第２グループＢから第１グループＡへの第２回数：ＣＯＭ２Ｂ→Ａ（ｎ―１）が１０で、第１グループＡの第１人数：ＧＲＰＡ（ｎ―１）が３で、第１グループＡの使用者のうちで第２グループＢを情報受信推奨グループに設定している第２人数：ＧＥＴＢ→Ａ（ｎ―１）が１である場合には、期間：ｎにおける第２グループＢから第１グループＡへの第１制御量１：ＩＮＣ１Ｂ→Ａ（ｎ）は、（１００―１０）×１／３＝３０となる。
【００６８】
また、例えば、期間：ｎ−１の間において、第２グループＢの第１回数：ＣＯＭ１Ｂ（ｎ―１）が２２０で、第２グループＢから第１グループＡへの第２回数：ＣＯＭ２Ｂ→Ａ（ｎ―１）が１０で、第２グループＢの第１人数：ＧＲＰＢ（ｎ―１）が３で、第２グループＢの使用者のうちで第１グループＡを情報発信推奨グループに設定している第３人数：ＳＥＮＢ→Ａ（ｎ―１）が２である場合には、期間：ｎにおける第２グループＢから第１グループＡへの第２制御量：ＩＮＣ２Ｂ→Ａ（ｎ）は、（２２０―１０）×２／３＝１４０となる。
【００６９】
計算に使用する値が同じとは限らないため、第１制御量：ＩＮＣ１Ｂ→Ａ（ｎ）と第２制御量：ＩＮＣ２Ｂ→Ａ（ｎ）が同じ値になるとは限らない。
【００７０】
第１制御量：ＩＮＣ１特定グループ名→対象グループ名（ｎ）若しくは第２制御量：ＩＮＣ２特定グループ名→対象グループ名（ｎ）を使った発信量制御を図７のフローチャートを用いて説明する。
【００７１】
サーバー１０の制御装置は、特定グループ内において使用者が発信した情報を抽出し（抽出工程、図７のステップＳ３１参照）、かかる情報が、第１情報送受信条件（情報送信相手、情報受信相手、キーワード（興味ワード））に基づいて、対象グループの使用者に発信するものであるか否かを判断する（判断工程、図７のステップＳ３２参照）。
【００７２】
第１情報送受信条件に基づいて、対象グループの総ての使用者に発信するものである場合には、第２情報送受信条件に基づく書き込み情報発信量制御で新たに発信する対象に該当しないため、ステップＳ３１の抽出工程に戻り、特定グループ内において使用者が発信した情報であって他のものを抽出する。
【００７３】
第１情報送受信条件に基づいて、対象グループの一部の使用者に発信するものである場合には、サーバー１０の制御装置は、当該対象グループの他の使用者に発信する（第１発信工程、図７のステップＳ３３とＳ３４参照）。
【００７４】
第１情報送受信条件に基づいて、対象グループのいずれの使用者に発信するものでない場合には、サーバー１０の制御装置は、当該対象グループの使用者に発信する（第２発信工程、図７のステップＳ３３とＳ３５参照）。
【００７５】
第１発信工程や第２発信工程で発信された情報は、かかる発信対象の使用者の使用者情報に対応したブラウザ画面における第５表示領域２５にスレッド単位で表示される。
【００７６】
かかる発信量制御により、特定グループから対象グループへの発信量が、第１制御量：ＩＮＣ１特定グループ名→対象グループ名（ｎ）若しくは第２制御量：ＩＮＣ２特定グループ名→対象グループ名（ｎ）に達したか否かを判断し、達するまでステップＳ３１〜ステップＳ３５の制御が行われる（図７のステップＳ３６参照）。
【００７７】
これにより、グループ間の情報量制御、すなわち、第５表示領域２５に表示される情報であって、特定グループの使用者から対象グループの使用者に発信される量をサーバー１０の制御装置で制御することが可能になる。
【００７８】
例えば、第１グループＡが営業部門で、第２グループＢが技術部門で、第３グループＣが経理部門であったとする。
営業部門（第１グループＡ）において、使用者の多くが、技術部門（第２グループＢ）の使用者から発信された情報を多く受けるべきだと考えて、情報受信推奨グループとして第２グループＢを選択した使用者が多い場合には、営業部門の使用者が技術部門の使用者のフォロワーになっていなくても、技術部門の使用者から発信された情報が営業部門の使用者のブラウザ画面における第５表示領域２５に表示される機会を増やすことが可能になる。
営業部門（第１グループＡ）において、使用者の多くが、経理部門（第３グループＣ）の使用者に情報を多く発信するべきだと考えて、情報発信推奨グループとして第３グループＣを選択した使用者が多い場合には、経理部門の使用者が営業部門の使用者のフォロワーになっていなくても、営業部門の使用者から発信された情報が経理部門の使用者のブラウザ画面における第５表示領域２５に表示される機会を増やすことが可能になる。
【００７９】
第５表示領域２５に表示される機会が増えれば、かかる書き込みに対して再書き込みしたり、かかる書き込みをした人をフォローする（フォロワーになる）設定をしたりして、特定グループと対象グループの使用者間の通信量を増やすことが可能になる。
本実施形態における図７に示すような発信量制御を行うと、第１情報送受信条件に基づくと第５表示領域２５に表示されない書き込みも表示されるが、書き込みされる量（発信量）は不必要に多くならないように第２情報送受信条件に基づいて算出された第１制御量：ＩＮＣ１特定グループ名→対象グループ名（ｎ）若しくは第２制御量：ＩＮＣ２特定グループ名→対象グループ名（ｎ）に制限される。このため、書き込みを見た使用者が違和感を持つことなく、第１情報送受信条件に基づくと第５表示領域２５に表示されない書き込みも閲覧することが出来、自然に通信量を増やすことが可能になる。
また、グループ間の通信量が増えれば、第１制御量：ＩＮＣ１特定グループ名→対象グループ名（ｎ）や第２制御量：ＩＮＣ２特定グループ名→対象グループ名（ｎ）の値が小さくなるため、第２情報送受信条件に基づく発信量（機械的な発信量制御）も少なく出来る。
【００８０】
抽出工程における情報の抽出は、ランダムに行われても良いが、特定グループ内において対象グループを情報発信推奨グループに設定している使用者が書き込みした情報を優先的に選択する形態や、特定グループ内において情報の書き込み量に基づいて選択する（例えば、書き込み量が多い使用者を優先する）形態であるのが望ましい。
具体的には、サーバー１０の制御装置は、抽出工程において、特定グループ（第２グループＢ）に属する使用者Ｕ４〜Ｕ６のうちで、情報発信推奨グループとして対象グループ（第１グループＡ）を選択した使用者による書き込み情報を、発信量制御において発信する対象として優先的に選択する。これにより、第１情報送受信条件で情報送信相手には設定していないが情報発信推奨グループに属する使用者に対して、書き込み情報を発信しやすくすることが可能になる。
【００８１】
第１発信工程や第２発信工程における発信対象の使用者は、対象グループの使用者の中からランダムに決定しても良いが、対象グループ内において特定グループを情報受信推奨グループに設定している使用者を優先的に決定する形態や、対象グループ内において情報の書き込み量に基づいて決定する（例えば、書き込み量が少ない使用者を優先する）形態であるのが望ましい。
具体的には、サーバー１０の制御装置は、第１発信工程や第２発信工程において、対象グループ（第１グループＡ）の使用者Ｕ１〜Ｕ３のうちで、情報受信推奨グループとして特定グループ（第２グループＢ）を選択した使用者を、発信量制御における書き込み情報を発信する対象として優先的に選択する。これにより、さらに書き込みを見た使用者が違和感を持つことなく、第１情報送受信条件に基づくと第５表示領域２５に表示されない書き込みも閲覧することが出来、自然に通信量を増やすことが可能になる。
【符号の説明】
【００８２】
１  ソーシャルネットワークサービスシステム
１０  サーバー
Ｈ１〜ＨＭ  端末
Ｕ１〜ＵＮ  使用者
【図１】
2013242764.tif 000003
【図２】
2013242764.tif 000004
【図３】
2013242764.tif 000005
【図４】
2013242764.tif 000006
【図５】
2013242764.tif 000007
【図６】
2013242764.tif 000008
【図７】
2013242764.tif 000009